(57)【要約】【課題】  本発明は、薄帯状板をＳ字状に断面ほぼ円形部を有する柱体どうしの対向面に沿って対向しながら回動する構造の戸および戸連結方法に関するものである。【解決手段】  本発明は、縦方向の対向面において互いに対向しながら回動する一対の柱体と、前記一対の柱体の一方から他方へ、他方から一方へ前記縦方向の対向面に対向しながら互いに反対方向へＳ字状に取り巻く、少なくとも一つの第１のＳ字状帯部材および第２のＳ字状帯部材とから構成される。前記一対の柱体は、断面がほぼ半円形からなり、互いに対向する前記ほぼ半円形の対向面を有し、一方または他方の中心軸を中心にして、前記縦方向の対向面に対向しながら回動する。前記柱体は、前記対向面の反対側に横框等が取り付けられている。【選択図】    図１
2006328750.tif 000002
【特許請求の範囲】
【請求項１】
一方向に１８０度回動させることができるヒンジにより連結されている戸において、
断面ほぼ半円形で、互いに対向する対向面を有し、中心軸を中心にして、前記対向面に互いに対向しながら回動するとともに、前記対向面の反対側に横框等を取り付けた一対の柱体と、
一方の柱体の非対向面または前記柱体に取り付けられた横框等に一端部が取り付けられ、一方から他方に向かって前記対向面に沿いながら他方の柱体の非対向面または前記柱体に取り付けられた他方の横框等に他端部が取り付けられた第１のＳ字状帯部材と、
他方の柱体の非対向面または前記柱体に取り付けられた横框等に一端部が取り付けられ、他方から一方に向かって前記対向面に沿いながら一方の柱体の非対向面または前記柱体に取り付けられた他方の横框等に他端部が取り付けられた第２のＳ字状帯部材と、
前記一対の柱体の少なくともいずれか一方に一体成形または別体として取り付けられているとともに、前記一対の柱体間を遮蔽する長さ方向の遮蔽部材と、
から少なくとも構成され、
少なくとも一組からなる前記第１のＳ字状帯部材および第２のＳ字状帯部材によって、開閉または折り畳みが自在になるように緊締されていることを特徴とする戸。
【請求項２】
一方向に１８０度回動させることができるヒンジにより連結されている戸において、
断面がほぼ１／４円形と、前記ほぼ１／４円形に連設する対向面とが互いに対向する対向面を有し、中心軸を中心にして、前記対向面に対向しながら回動するとともに、前記対向面の反対側に横框等を取り付けた一対の柱体と、
一方の柱体の非対向面または前記柱体に取り付けられた横框等に一端部が取り付けられ、一方から他方に向かって前記対向面に沿いながら他方の柱体の非対向面または前記柱体に取り付けられた横框等に他端部が取り付けられた第１のＳ字状帯部材と、
他方の柱体の非対向面または前記柱体に取り付けられた横框等に一端部が取り付けられ、他方から一方に向かって前記対向面に沿いながら一方の柱体の非対向面または前記柱体に取り付けられた横框等に他端部が取り付けられた第２のＳ字状帯部材と、
前記一対の柱体のほぼ１／４円形の反対側の少なくともいずれか一方に一体成形または別体として取り付けられているとともに、前記一対の柱体間を遮蔽する長さ方向の遮蔽部材と、
から少なくとも構成され、
少なくとも一組からなる前記第１のＳ字状帯部材および第２のＳ字状帯部材によって、開閉または折り畳みが自在になるように緊締されていることを特徴とする戸。
【請求項３】
一方向に１８０度回動させることができるヒンジにより連結されている戸において、
断面がほぼ１／４円形部と前記ほぼ１／４円形部に連設された切欠き部とから構成され、前記ほぼ１／４円形部が互いに対向する対向面となり、中心軸を中心にして、前記対向面に対向しながら回動するとともに、前記対向面の反対側に横框等を取り付けた一対の柱体と、
一方の柱体における前記切欠き部に一端部が取り付けられ、一方から他方に向かって前記対向面に沿いながら他方の柱体の非対向面または前記柱体に取り付けられた横框等に他端部が取り付けられた第１のＳ字状帯部材と、
他方の柱体の非対向面または前記柱体に取り付けられた横框等に一端部が取り付けられ、他方から一方に向かって前記対向面に沿いながら一方の柱体の切欠き部に他端部が取り付けられた第２のＳ字状帯部材と、
前記一対の柱体間を遮蔽するために、前記一方および他方の切欠き部に固定された遮蔽部材と、
から少なくとも構成され、
少なくとも一組からなる前記第１のＳ字状帯部材および第２のＳ字状帯部材によって、開閉または折り畳みが自在になるように緊締されていることを特徴とする戸。
【請求項４】
３６０度回動させることができるヒンジにより連結されている戸において、
断面ほぼ半円形で、互いに対向する対向面を有し、中心軸を中心にして、前記対向面に対向しながら回動するとともに、前記対向面の反対側に横框等を取り付けた一対の柱体と、
一方の柱体の非対向面または前記柱体に取り付けられた横框に一端部が取り付けられ、一方から他方に向かって前記対向面に沿いながら他方の柱体の非対向面または前記柱体に取り付けられた横框等に他端部が取り付けられた第１のＳ字状帯部材と、
他方の柱体の非対向面または前記柱体に取り付けられた横框等に一端部が取り付けられ、他方から一方に向かって前記対向面に沿いながら一方の柱体の非対向面または前記柱体に取り付けた横框等に他端部が取り付けられた第２のＳ字状帯部材と、
前記いずれか一方の柱体における断面ほぼ半円形の凸部近傍に設けられた長さ方向の遮蔽部材を固定する溝と、
前記溝に固定された遮蔽部材と、
から少なくとも構成され、
少なくとも一組からなる前記第１のＳ字状帯部材および第２のＳ字状帯部材によって、開閉または折り畳みが自在になるように緊締されていることを特徴とする戸。
【請求項５】
両方向に回動させることができるヒンジにより連結されている戸において、
断面ほぼ半円形で、互いに対向する対向面を有し、一方または他方の中心軸を中心にして、前記対向面に対向しながら回動する一対の柱体と、
一方から他方に向かって前記対向面に沿いながら他方の柱体の非対向面または前記柱体に取り付けられた横框等に他端部が取り付けられた第１のＳ字状帯部材と、
他方の柱体の非対向面または前記柱体に取り付けられた横框等に一端部が取り付けられ、他方から一方に向かって前記対向面に沿いながら一方の柱体の非対向面または前記柱体に取り付けた横框等に他端部が取り付けられた第２のＳ字状帯部材と、
前記柱体を取り付ける柱体取付部および横框取付部が成形されている取付コーナーブロックと、
前記取付コーナーブロックに取り付けられた横框と、
前記横框の前記取付コーナーブロックと反対側に取り付けられた縦框と、
前記一対の取付コーナーブロックの上下部において、二つの中心軸部材が回動自在に、前記一対の柱体を接続する連結部材と、
から少なくとも構成され、
少なくとも一組からなる前記第１のＳ字状帯部材および第２のＳ字状帯部材によって、開閉または折り畳みが自在になるように緊締されているとともに、折り畳みが自在にできることを特徴とする戸。
【請求項６】
前記Ｓ字状帯部材は、鉄、銅、アルミニウム合金、鉄合金、銅合金、あるいは合成樹脂部材の一つからなる薄板であることを特徴とする請求項１から請求項５のいずれか１項に記載された戸。
【請求項７】
前記Ｓ字状帯部材は、弾性を有するバネ部材から構成されていることを特徴とする請求項１から請求項６のいずれか１項に記載された戸。
【請求項８】
前記柱体に取り付けられる部材は、扉、折戸、雨戸、網戸、窓、建具、間仕切り、インテリア、家具、エクステリア等に使用されることを特徴とする請求項１から請求項７のいずれか１項に記載された戸。
【請求項９】
前記第１のＳ字状帯部材および第２のＳ字状帯部材は、一対の柱体における横框等を取り付ける側に一体的に設けられたフィン取付部に取り付けられることを特徴とする請求項１から請求項８のいずれか１項に記載された戸。
【請求項１０】
前記第１のＳ字状帯部材および第２のＳ字状帯部材の一端部および他端部は、一対の柱体における側部に設けられた凹部に取り付けられることを特徴とする請求項１から請求項９のいずれか１項に記載された戸。
【請求項１１】
前記二つの柱体は、少なくとも上部および下部において、中心軸部材が回動可能な連結部材によって連結されていることを特徴とする請求項１から請求項１０のいずれか１項に記載された戸。
【請求項１２】
前記二つの柱体および取付コーナーブロックにおける一方または両方の上部には、上吊り戸車および／またはガイドが取り付けられており、前記上吊り戸車および／またはガイドが戸の一組置きに設けられていることを特徴とする請求項１から請求項１１のいずれか１項に記載された戸。
【請求項１３】
前記二つの柱体および取付コーナーブロックにおける一方または両方の下部には、レール上を移動する戸車および／またはガイドが取り付けられており、前記戸車および／またはガイドが戸の一組置きに設けられていることを特徴とする請求項１から請求項１２のいずれか１項に記載された戸。
【請求項１４】
前記柱体および／または横框等には、網、ガラス、板等を取り付ける取り付け部が設けられていることを特徴とする請求項１から請求項１３のいずれか１項に記載された戸。
【請求項１５】
前記一対の柱体は、断面がほぼ１／４円形の回動を行なうための対向面と、前記対向面に連なる断面直角部を備えていることを特徴とする請求項１から請求項１４のいずれか１項に記載された戸。
【請求項１６】
前記一対の柱体の上部および下部において、横框を取り付けるためのＬ字状切欠き部と、前記Ｌ字状切欠き部を覆うカバーを有することを特徴とする請求項１から請求項１５のいずれか１項に記載された戸。
【請求項１７】
前記一対の柱体における対向面と反対側の内部には、前記連結部材および／または前記横框を取り付けるためのＬ字状金具が取り付けられていることを特徴とする請求項１から請求項１６のいずれか１項に記載された戸。
【請求項１８】
前記一対の柱体の内部には、前記連結板に回動自在な中心軸部材を取り付ける取付孔が成形されていることを特徴とする請求項１から請求項１７のいずれか１項に記載された戸。
【請求項１９】
互いに対向する対向面を有する柱体の一方および／または他方の中心軸を中心にして、前記互いの対向面に対向しながら１８０度または３６０度回動させることができる少なくとも二つの戸を連結する戸連結方法において、
前記対向面の反対側に取り付けられた横框等からなる一対の柱体と、
一方の柱体または前記柱体に取り付けられた横框等から構成された第１の戸に少なくとも一つの第１のＳ字状帯部材の一端部が取り付けられ、
他方の柱体または前記柱体に取り付けられた横框等から構成された第２の戸に少なくとも一つの第２のＳ字状帯部材の一端部が取り付けられ、
前記第１の戸および第２の戸が現地に運搬された後、
第１のＳ字状帯部材の他端部を他方の柱体または前記柱体に取り付けられた横框等に取り付け、
第２のＳ字状帯部材の他端部を一方の柱体または前記柱体に取り付けられた横框等に取り付け、
ることにより第１の戸および第２の戸が開閉または折り畳み自在に組み立てられることを特徴とする戸連結方法。
【発明の詳細な説明】
【技術分野】
【０００１】
本発明は、薄帯状板をＳ字状に断面ほぼ円形部を有する柱体どうしの対向面に沿って周回する構造の戸および戸連結方法に関するものである。特に、本発明は、従来の欠点を改良して、実用化を可能にした戸および戸連結方法に関するものである。本発明の戸および戸連結方法は、ビル、住宅、店舗、工場、ホテル、レストラン、ショールーム、ブティック等のさまざまな施設、あるいは建築物における戸、扉、折り畳み式の折戸、雨戸、網戸、間仕切り等に使用することで、快適な空間を創造することができる。本発明における「戸」は、前記戸、扉、折り畳み式の折戸、雨戸、網戸、間仕切り、扉、門扉、箱の蓋等を含む広い意味に使用される場合がある。また、本発明における戸を構成する框は、縦框、横框、およびこれらによって囲まれるガラス、板、網等の障子を含む広い意味に使用される場合がある。
【背景技術】
【０００２】
従来のヒンジ構造は、ドアを開けた場合に、枠とドアとの間隔が大きく離れるため、扉を閉じる時、指や物を挟むという事故が起きている。前記事故の解決方法は、常に、枠とドア、ドアとドアの縦部材が接近あるいは接するようにすることである。しかし、挟む隙間のないドア構造は、従来のドアが有する多くの問題を解決しないと、実用化することができない。たとえば、幅８５０ｍｍのドアは、その吊り元で挟む圧力が約６００ｋｇになるといわれており、安全確保が求められている。
【０００３】
従来、開閉可能な戸は、ヒンジ金具が扉本体と別体で、一体に構成されておらず、前記扉と無関係にヒンジ金具自体が単独で、開閉している。たとえば、周囲の壁に取り付けられた立枠は、ヒンジ金具を介して扉の重量を支持する。扉が連続して取り付けられる折戸は、立枠側に取り付けられたヒンジ金具を介して、戸にかかる互いの重量と回転を行うための支持が必要であった。したがって、折り畳み式の折戸は、その重量のため、ヒンジ金具だけで支持できない場合があるので、上枠より吊るか、下枠で支えるか、あるいは別途に支持専用の金物が必要であった。  
【０００４】
扉等は、全重量をヒンジ金具が全て剪断荷重として受ける。したがって、前記扉等は、小さいヒンジ金具が取り付けられると、大きな剪断強度を求められることになる。前記ヒンジ金具を取り付けた扉等は、開閉する際の回転中心がヒンジ金具どうしを連結する軸にあり、一般には扉厚みの外にある。また、前記ヒンジ金具を取り付けた扉等は、扉の重量による曲げモーメントがかかり、開閉時に剪断負荷が前記ヒンジ金具に変則的にかかる。
【０００５】
前記扉等は、上下のヒンジ金具の軸が、取り付けの位置ずれや、扉のねじれ変形により通らない場合がある。前記扉の自重は、上下いずれか一方にかかり易いため、扉の開閉時に過剰な負荷がヒンジ金具にかかり易く、ガタツキやキシミ音を発生することがある。また、前記扉等は、取り付けられているヒンジの回転中心軸が扉厚みの外側にあり、その持ち出し分だけ、扉が大回りすることになる。前記扉の大回りは、スペース上余裕のない場合、施工が困難であったり、開閉に支障を来す場合がある。
【０００６】
図２７は従来のヒンジ金具を説明するための図である。ヒンジ金具２７１は、たとえば、扉取付部２７１１、２７１２と、前記扉取付部２７１１、２７１２に設けられた取付孔２７１３、２７１４と、回転軸２７１５と、前記回転軸２７１５を挿入して前記扉を回動自在にする軸挿入孔２７１６、２７１７とから構成されている。図示されていない扉は、前記ヒンジ金具２７１の取付孔２７１３、２７１４にネジによりそれぞれ取り付けられている。
【０００７】
前記扉取付部２７１１と２７１２には、回転軸２７１５を挿入する軸挿入孔２７１６および２７１７が互い違いになるように設けられている。回転軸２７１５は、上部から前記軸挿入孔２７１６、２７１７に挿入することにより、前記扉取付部２７１１、２７１２に取り付けられた扉が開閉できるようになっている。
【０００８】
実開昭５０−１４０８２２号公報における「めがね型のヒンジ部品」は、折り畳み式コンテナや貨物コンテナに向いたヒンジであり、フェンスや間仕切りの角度を自在にする連結部品である。
【０００９】
実開昭５６−１５５０７４号公報における帯ヒンジは、２枚の帯板を２本の立枠の部材にＳ字型に固定している。前記帯ヒンジは、９０度程度しか開閉できない。前記帯ヒンジは、前記帯の緊締が緩まないようにすることが困難であるだけでなく、扉の開閉を頻繁に行った場合、帯ヒンジの緩みの問題が解決されていない。
【００１０】
特開２００４−１０７９９６号公報に記載されている屈伸自在なパネル連携構造は、可撓性を有する帯板を上下互い違いとなるＳ字状に巻回するとともに、上下の帯板の端部を相互に連結して出来上がったヒンジから構成されている。
【特許文献１】実開昭５０−１４０８２２号公報
【特許文献２】実開昭５６−１５５０７４号公報
【特許文献３】特開２００４−１０７９９６号公報
【発明の開示】
【発明が解決しようとする課題】
【００１１】
従来のヒンジ金具によって連結された戸、たとえば、扉、折戸、折り畳み式開閉雨戸、網戸（以下、単に戸と記載する）は、回転の中心がヒンジ金具２７１の回転軸２７１５部分にあり、構造や場所により１８０度回動できない場合があり、また、前記戸と戸との間に必ず隙間が生じるという欠点があった。前記特開２００４−１０７９９６号公報に記載された屈伸自在なパネルの連結構造は、二つの戸の間の隙間が帯板の厚さだけ生じる。前記のような構造の折戸は、風が通り抜けるだけでなく、一方から他方が見えてしまうという欠点があった。また、Ｓ字状帯部材を使用したヒンジは、隣接するドアの縦框を先に通さなくてはならないという制約や、ヒンジの修復作業が扉のパネル材を取り除いた後に行なわねばならないという欠点があった。
【００１２】
特に、近年、アルミニウム合金製のサッシが増加し、前記サッシと同じ材料による折戸、網戸、間仕切り等は、豪華さを謳うホテル、レストラン、ショールーム、ブティック等のさまざまな施設に用いられるようになって来た。しかし、前記戸と戸との間の隙間は、指が挟まるという、戸として決定的な欠点となっていた。また、前記公報に記載されている８字状帯部材を使用したものは、前記戸の間に生ずる隙間の問題、および横框の取り付け等の問題を解決していないため、折り畳み式戸として、実現されていない。
【００１３】
前記公報に記載されている８字状帯部材を使用したものは、アルミニウム合金製等の横框を取り付けることができない。また、前記公報に記載されている８字状帯部材を使用したものは、ドアの連結を工場で全て完成させる構造であるため、多くのドアが一体となり、重く、取り扱い難くなり、現地での組立および運搬等の問題を考慮して作製されたものではない。さらに、ヒンジの修復は、枠から連結ドア全体を外し、ドアの面材（パネル材）を取り外さなくては、行なえないという大がかりな作業になるという問題があった。また、前記特開２００４−１０７９９６号公報に記載された屈伸自在なパネルの連結構造は、可撓性有する帯板を上下互い違いとなるようにＳ字状に巻回するとともに、上下の帯板の端部を相互に連結して「８字型のヒンジ」を形成し、この「８字型」の２個の穴に、断面半円形状の２本のポールを挿入し、半円形状の反対側のパネル固定面側端面の凹部内に、端部を緊締する連結構造である。前記「８字型のヒンジ」の緊締性能を維持する再調整や修復は、ドライバー等工具の作業が、パネル類の面材に阻まれて行なえない。したがって、前記ポールとパネルは、分離するしかない。さらに、施工後の分解作業は、天井、床、壁に阻まれ、前記ポールが前記「８字型」から抜けない。前記ヒンジと不分離の一対のポールの連結構造は、容積や重量が大きい扉や連続折戸では、再調整や修復毎に、全パネルを使用中の建物から取り外すことになり、作業が困難であった。前記「８字型ヒンジ」によるポールは、パネルが軽量で、パネル端部のどこにでも、金物類がビスで固定可能な木製である場合に最適である。たとえば、前記発明のものは、木製や合板のクローゼットに適している。しかし、アルミニウム形材の框フレーム構造では、採用できない。また、前記発明のものは、アルミニウムサッシ用には、致命的な不備が多い。
【００１４】
以上のような課題を解決するために、本発明は、戸と戸の間の隙間を完全に無くすとともに、実際の生産および施工を考慮した金属製建具（サッシ）の戸および戸連結方法を提供することを目的とする。また、本発明は、前記戸を複数個連結して折り畳める折戸において、必ずしも３６０度回動する必要がないことが判ったため、これに伴う改良を計った戸および戸連結方法を提供することを目的とする。本発明は、前記戸を連結するヒンジ金具の間に隙間ができないような構造として、指が挟まれても（挿まれても）、押し出されるため、怪我が防止できる戸および戸連結方法を提供することを目的とする。本発明は、前記従来例における適用上の制約や難点を解決して、製造、輸送、搬入、施工、メンテナンスが容易なヒンジ金具を提供することを目的とする。
【課題を解決するための手段】
【００１５】
（第１発明）
第１発明の戸は、一方向に１８０度回動させることができるヒンジにより連結されており、断面ほぼ半円形で、互いに対向する対向面を有し、中心軸を中心にして、前記対向面に互いに対向しながら回動するとともに、前記対向面の反対側に横框等を取り付けた一対の柱体と、一方の柱体の非対向面または前記柱体に取り付けられた横框等に一端部が取り付けられ、一方から他方に向かって前記対向面に沿いながら他方の柱体の非対向面または前記柱体に取り付けられた他方の横框等に他端部が取り付けられた第１のＳ字状帯部材と、他方の柱体の非対向面または前記柱体に取り付けられた横框等に一端部が取り付けられ、他方から一方に向かって前記対向面に沿いながら一方の柱体の非対向面または前記柱体に取り付けられた他方の横框等に他端部が取り付けられた第２のＳ字状帯部材と、前記一対の柱体の少なくともいずれか一方に一体成形または別体として取り付けられているとともに、前記一対の柱体間を遮蔽する長さ方向の遮蔽部材とから少なくとも構成され、少なくとも一組からなる前記第１のＳ字状帯部材および第２のＳ字状帯部材によって、開閉または折り畳みが自在になるように緊締されていることを特徴とする。
【００１６】
（第２発明）
第２発明の戸は、一方向に１８０度回動させることができるヒンジにより連結されており、断面がほぼ１／４円形と、前記ほぼ１／４円形に連設する対向面とが互いに対向する対向面を有し、中心軸を中心にして、前記対向面に対向しながら回動するとともに、前記対向面の反対側に横框等を取り付けた一対の柱体と、一方の柱体の非対向面または前記柱体に取り付けられた横框等に一端部が取り付けられ、一方から他方に向かって前記対向面に沿いながら他方の柱体の非対向面または前記柱体に取り付けられた横框等に他端部が取り付けられた第１のＳ字状帯部材と、他方の柱体の非対向面または前記柱体に取り付けられた横框等に一端部が取り付けられ、他方から一方に向かって前記対向面に沿いながら一方の柱体の非対向面または前記柱体に取り付けられた横框等に他端部が取り付けられた第２のＳ字状帯部材と、前記一対の柱体のほぼ１／４円形の反対側の少なくともいずれか一方に一体成形または別体として取り付けられているとともに、前記一対の柱体間を遮蔽する長さ方向の遮蔽部材とから少なくとも構成され、少なくとも一組からなる前記第１のＳ字状帯部材および第２のＳ字状帯部材によって、開閉または折り畳みが自在になるように緊締されていることを特徴とする。
【００１７】
（第３発明）
第３発明の戸は、一方向に１８０度回動させることができるヒンジにより連結されており、断面がほぼ１／４円形部と前記ほぼ１／４円形部に連設された切欠き部とから構成され、前記ほぼ１／４円形部が互いに対向する対向面となり、中心軸を中心にして、前記対向面に対向しながら回動するとともに、前記対向面の反対側に横框等を取り付けた一対の柱体と、一方の柱体における前記切欠き部に一端部が取り付けられ、一方から他方に向かって前記対向面に沿いながら他方の柱体の非対向面または前記柱体に取り付けられた横框等に他端部が取り付けられた第１のＳ字状帯部材と、他方の柱体の非対向面または前記柱体に取り付けられた横框等に一端部が取り付けられ、他方から一方に向かって前記対向面に沿いながら一方の柱体の切欠き部に他端部が取り付けられた第２のＳ字状帯部材と、前記一対の柱体間を遮蔽するために、前記一方および他方の切欠き部に固定された遮蔽部材とから少なくとも構成され、少なくとも一組からなる前記第１のＳ字状帯部材および第２のＳ字状帯部材によって、開閉または折り畳みが自在になるように緊締されていることを特徴とする。
【００１８】
（第４発明）
第４発明の戸は、３６０度回動させることができるヒンジにより連結されており、断面ほぼ半円形で、互いに対向する対向面を有し、中心軸を中心にして、前記対向面に対向しながら回動するとともに、前記対向面の反対側に横框等を取り付けた一対の柱体と、一方の柱体の非対向面または前記柱体に取り付けられた横框に一端部が取り付けられ、一方から他方に向かって前記対向面に沿いながら他方の柱体の非対向面または前記柱体に取り付けられた横框等に他端部が取り付けられた第１のＳ字状帯部材と、他方の柱体の非対向面または前記柱体に取り付けられた横框等に一端部が取り付けられ、他方から一方に向かって前記対向面に沿いながら一方の柱体の非対向面または前記柱体に取り付けた横框等に他端部が取り付けられた第２のＳ字状帯部材と、前記少なくともいずれか一方の柱体における断面ほぼ半円形の凸部近傍に設けられた長さ方向の遮蔽部材を固定する溝と、前記溝に固定された遮蔽部材とから少なくとも構成され、少なくとも一組からなる前記第１のＳ字状帯部材および第２のＳ字状帯部材によって、開閉または折り畳みが自在になるように緊締されていることを特徴とする。
【００１９】
（第５発明）
第５発明の戸は、両方向に回動させることができるヒンジにより連結されており、断面ほぼ半円形で、互いに対向する対向面を有し、一方または他方の中心軸を中心にして、前記対向面に対向しながら回動する一対の柱体と、一方から他方に向かって前記対向面に沿いながら他方の柱体の非対向面または前記柱体に取り付けられた横框等に他端部が取り付けられた第１のＳ字状帯部材と、他方の柱体の非対向面または前記柱体に取り付けられた横框等に一端部が取り付けられ、他方から一方に向かって前記対向面に沿いながら一方の柱体の非対向面または前記柱体に取り付けた横框等に他端部が取り付けられた第２のＳ字状帯部材と、前記柱体を取り付ける柱体取付部および横框取付部が成形されている取付コーナーブロックと、前記取付コーナーブロックに取り付けられた横框と、前記横框の前記取付コーナーブロックと反対側に取り付けられた縦框と、前記一対の取付コーナーブロックの上下部において、二つの中心軸部材が回動自在に、前記一対の柱体を接続する連結部材とから少なくとも構成され、少なくとも一組からなる前記第１のＳ字状帯部材および第２のＳ字状帯部材によって、開閉または折り畳みが自在になるように緊締されているとともに、折り畳みが自在にできることを特徴とする。
【００２０】
（第６発明）
第６発明の戸は、第１発明から第５発明のＳ字状帯部材が鉄、銅、アルミニウム合金、鉄合金、銅合金、あるいは合成樹脂部材の一つからなる薄板であることを特徴とする。
【００２１】
（第７発明）
第７発明の戸は、第１発明から第６発明のＳ字状帯部材が弾性を有するバネ部材から構成されていることを特徴とする。
【００２２】
（第８発明）
第８発明の戸は、第１発明から第７発明の柱体に取り付けられる部材が扉、折戸、雨戸、網戸、窓、建具、間仕切り、インテリア、家具、エクステリア等に使用されることを特徴とする。
【００２３】
（第９発明）
第９発明の戸は、第１発明から第８発明の第１のＳ字状帯部材および第２のＳ字状帯部材が一対の柱体における横框等を取り付ける側に一体的に設けられたフィン取付部に取り付けられることを特徴とする。
【００２４】
（第１０発明）
第１０発明の戸は、第１発明から第９発明における第１のＳ字状帯部材および第２のＳ字状帯部材の一端部および他端部が一対の柱体における側部に設けられた凹部に取り付けられることを特徴とする。
【００２５】
（第１１発明）
第１１発明の戸は、第１発明から第１０発明における二つの柱体が少なくとも上部および下部において、中心軸部材が回動可能な連結部材によって連結されていることを特徴とする。
【００２６】
（第１２発明）
第１２発明の戸は、第１発明から第１１発明における二つの柱体および取付コーナーブロックにおける一方または両方の上部には、上吊り戸車および／またはガイドが取り付けられており、前記上吊り戸車および／またはガイドが戸の一組置きに設けられていることを特徴とする二つの柱体における一方または両方の上部に上吊り戸車が取り付けられていることを特徴とする。
【００２７】
（第１３発明）
第１３発明の戸は、第１発明から第１２発明の二つの柱体および取付コーナーブロックにおける一方または両方の下部には、レール上を移動する戸車および／またはガイドが取り付けられており、前記戸車および／またはガイドが戸の一組置きに設けられていることを特徴とする。
【００２８】
（第１４発明）
第１４発明の戸は、第１発明から第１３発明の柱体および／または横框等に網、ガラス、板等を取り付ける取り付け部が設けられていることを特徴とする。
【００２９】
（第１５発明）
第１５発明の戸は、第１発明から第１４発明における一対の柱体において、断面がほぼ１／４円形の回動を行なうための対向面と、前記対向面に連なる断面直角部を備えていることを特徴とする。
【００３０】
（第１６発明）
第１６発明の戸は、第１発明から第１５発明における一対の柱体の上部および下部において、横框を取り付けるためのＬ字状切欠き部と、前記Ｌ字状切欠き部を覆うカバーを有することを特徴とする。
【００３１】
（第１７発明）
第１７発明の戸は、第１発明から第１６発明の一対の柱体における対向面と反対側の内部に連結部材および／または横框を取り付けるためのＬ字状金具が取り付けられていることを特徴とする。
【００３２】
（第１８発明）
第１８発明の戸は、第１発明から第１７発明における一対の柱体の内部に、前記連結部材に回動自在な中心軸部材を取り付ける取付孔が成形されていることを特徴とする。
【００３３】
（第１９発明）
第１９発明の戸連結方法は、互いに対向する対向面を有する柱体の一方および／または他方の中心軸を中心にして、前記互いの対向面に対向しながら１８０度または３６０度回動させることができる少なくとも二つの戸を連結するものであり、前記対向面の反対側に取り付けられた横框等からなる一対の柱体と、一方の柱体または前記柱体に取り付けられた横框等から構成された第１の戸に少なくとも一つの第１のＳ字状帯部材の一端部が取り付けられ、他方の柱体または前記柱体に取り付けられた横框等から構成された第２の戸に少なくとも一つの第２のＳ字状帯部材の一端部が取り付けられ、前記第１の戸および第２の戸が現地に運搬された後、第１のＳ字状帯部材の他端部を他方の柱体または前記柱体に取り付けられた横框等に取り付け、第２のＳ字状帯部材の他端部を一方の柱体または前記柱体に取り付けられた横框等に取り付け、ることにより第１の戸および第２の戸が開閉または折り畳み自在に組み立てられることを特徴とする。
【発明の効果】
【００３４】
本発明によれば、少なくとも二つの成形品からなる柱体を連結するＳ字状帯部材は、前記柱体との摩擦力、引っ張り力、および剪断力に耐える強度を有する薄さにすることができ、戸の回動が非常にスムーズであるとともに、前記柱体の中心軸をほぼ中心にして、断面ほぼ半円形の対向面に沿いながら回動するため、前記柱体と柱体との間に隙間がなく、指等が挟まれる（挿まれる）ことがない。特に、前記柱体がアルミニウム系部材等の成形品の場合、指等を柱体の間に入れても、両者の回転により滑るように外部に押し出されるため、怪我をすることがない。特に、背丈の高い戸は、中間部に本発明のＳ字状帯部材を設けることにより、開閉がよりスムーズになる。
【００３５】
本発明によれば、戸は、互いの柱体における断面ほぼ円形の対向面に沿いながら回動するため、部材に対する負荷が一定で変化しないので、回動に無理がなく、非常に回動がスムーズになり、キシミ音等を発生することがない。また、戸を連結しているＳ字状帯部材は、前記柱体の断面ほぼ半円形の周面に沿って折り曲がるため、疲労による破壊が少ない。本発明の戸は、遮蔽アダプターに固定された遮蔽部材により、柱体の間が完全に遮蔽されるため、隙間風や光が入らず、または、隙間から他方が見えることがない。
【００３６】
本出願人は、柱体と柱体との対向面が対向しながら回転する部分を９０度とするだけで良いことが判った。本発明によれば、前記円柱は、前記ほぼ１／４円形断面と、前記ほぼ１／４円形断面に連設された対向面を有するため、戸を閉じた状態が安定し、直線状となり、隙間も無くなる。
【００３７】
本発明によれば、柱体のほぼ１／４円形断面と、前記断面に連設された切欠き部に遮蔽部材を入れたことにより、前記隙間を完全に遮蔽することができるだけでなく、美観上優れた成形体から構成される戸を提供できる。前記遮蔽部材は、幅の狭まいパッキング材とすることができるため、前記隙間に指を挟む（挿む）ことがない。
【００３８】
本発明によれば、戸を取り付けた柱体は、Ｓ字状帯部材と異なる素材により作製された場合、前記Ｓ字状帯部材が前記柱体の金属素材または合成樹脂素材による色が浮き彫りとなり、デザイン上優れた効果を発揮することができる。
【００３９】
本発明によれば、Ｓ字状帯部材の一端部および他端部が、一対の柱体における非対向部分、または横框等に設けられた凹部に取り付けることにより、弛みなく緊締することが容易である。
【００４０】
本発明によれば、一対の柱体の少なくとも上部にＬ字状切欠き、前記Ｌ字状切欠きカバー、あるいは逆Ｌ字状金具により、柱体および縦框、横框が容易に取り付けられるだけでなく、組立施工等が迅速で、かつ容易にでき、見た目の良いものができる。
【００４１】
本発明によれば、Ｓ字状帯部材の一端をそれぞれ柱体に仮り付けされた状態の第１の戸および第２の戸を現地に運搬した後、前記Ｓ字状帯部材の他端部を他方の柱体または前記柱体に取り付けられた横框等に取り付けているため、前記戸を少人数で運ぶとともに、少人数での組み立てが容易にできる。
【００４２】
本発明によれば、Ｓ字状帯部材を取り付ける板状座金のねじ孔を板の幅方向に対して、非対照に設けられているため、前記板状座金を反対側にひっくり返しにするだけで、緩んだＳ字状帯部材の緊締を強固にすることができる。前記Ｓ字状帯部材は、柱体または横框に引っ張った状態で取り付けた後、前記板状座金を取り付けることにより、凹部等に直角に取り付けられるため、さらに、引っ張られて緊締される。
【００４３】
本発明によれば、柱体にＳ字状帯部材を取り付けるフィン取付部、凹部、あるいは切欠き部を設けているため、組立および取付が容易にできる。
【発明を実施するための最良の形態】
【００４４】
本発明は、二つの柱体にそれぞれ、立枠、戸または蓋部材等が取り付けられ、前記二つの柱体を介して、前記部材が互いに連結されるとともに、１８０度、または３６０度回動させることができる成形品からなる戸に関するものであり、従来の考えとは全く異なった構成の、たとえば、折戸、雨戸、網戸等である。本発明の前記戸等は、ホテル、レストラン、ショールーム、ブティック等のさまざまな施設における折戸、間仕切り等に使用することで、快適な空間を創造することができる。また、本発明は、門扉のように、一方の柱体が立枠で固定されており、他方の柱体が前記立枠に対して、１８０度、または３６０度回動する場合、および折り畳み式の戸のように、両方の柱体が自在に回動する場合がある。
【００４５】
本発明の戸は、少なくとも一つであり、その数に制限がない。前記戸が一つの場合は、前記柱体の一方が固定されている場合である。また、前記柱体は、アルミニウム合金からなる押し出し加工により成形される中空体（サッシ）だけでなく、たとえば、合成樹脂部材、金属、または合金等を成形して内部が充実した棒状体も含む。本発明のＳ字状帯部材の取り付けは、前記柱体または横框に対して直角方向からネジ止めすることにより緊締できるようにしており、組立現場において、パネル等に邪魔されることなく、ドライバーが入らないということがない。
【００４６】
（第１発明）
第１発明の戸は、縦方向の対向面において互いに対向しながら回動する一対の柱体と、前記一対の柱体の一方から他方へ、他方から一方へ前記縦方向の対向面に対向しながら互いに反対方向へＳ字状に取り巻く、少なくとも一つの第１のＳ字状帯部材および第２のＳ字状帯部材と、前記柱体に取り付けられている横框等からなる戸板（ガラス、網等）とから構成される。前記一対の柱体は、たとえば、断面がほぼ半円形の中空部からなり、互いに対向する前記ほぼ半円形の対向面を有し、一方および／または他方の中心軸を中心にして、前記縦方向の対向面に対向しながら回動する。
【００４７】
前記柱体は、前記対向面の反対側に横框等が取り付けられている。前記横框等は、縦框、中框、これらに取り付けられた板、網、ガラス等を含み、戸を構成している。前記柱体の対向面の間には、Ｓ字状帯部材の厚さ分の隙間が存在するが、厚みが薄くて済むため、ほぼ接触しながら回動する。本発明でいう「対向しながら回動する」は、前記のように多少の隙間がある場合と、ほぼ接触している場合とがある。
【００４８】
第１のＳ字状帯部材は、一方の柱体の非対向面または前記柱体に取り付けられた横框等に一端部が取り付けられ、一方の柱体から他方の柱体に向かって対向面に沿いながら他方の柱体の非対向面または前記柱体に取り付けられた他方の横框等に他端部が取り付けられている。第２のＳ字状帯部材は、第１のＳ字状帯部材と反対向きに前記柱体を取り巻いている。すなわち、第２のＳ字状帯部材は、他方の柱体の非対向面または前記柱体に取り付けられた横框等に一端部が取り付けられ、他方柱体から一方の柱体に向かって前記断面ほぼ半円形の対向面に沿いながら一方の柱体の非対向面または前記柱体に取り付けられた横框等に他端部が取り付けられている。
【００４９】
前記一対の柱体のいずれか一方には、遮蔽部が一体成形または別体に取り付けられている。前記遮蔽部は、少なくとも一方の柱体に長さ方向に遮蔽部材を固定する突起溝を連続的に備えている。前記遮蔽部は、前記突起溝に嵌合することにより、前記一対の柱体間を光または空気が入らないように遮蔽することができる。
【００５０】
第１発明の戸は、第１のＳ字状帯部材および第２のＳ字状帯部材が張力で一対の柱体を互いに引き付けるとともに、前記柱体と前記各Ｓ字状帯部材との摩擦により、前記柱体に取り付けられる、戸や蓋等の部材を支持しながら１８０度回動させることができる。したがって、前記各Ｓ字状帯部材は、前記部材等を取り付けた状態で、前記柱体との摩擦力、引っ張り力、および剪断力に耐える強度を有することが必要である。第１発明の戸は、回動が非常にスムーズであるとともに、前記柱体の中心軸をほぼ中心にして、断面ほぼ半円形の面に沿いながら回動するため、前記柱体と柱体との間に隙間ができないので、指等が挟まれる（挿まれる）ことがない。
【００５１】
第１発明の戸は、互いの柱体における断面ほぼ半円形の対向面に沿いながら回動するため、部材に対する負荷が一定で変化しないので、回動に無理がなく、非常に回動がスムーズになり、きしみ音等を発生することがない。また、第１発明の戸は、前記柱体の断面ほぼ半円形の周面に沿って折り曲がるため、疲労による破壊が少ない。前記第１発明の戸によって回動できるように作製された戸類（折戸、雨戸等）は、遮蔽部に固定された遮蔽部材により、柱体の間が遮蔽されるため、隙間風、雨水、および光が入らない。
【００５２】
（第２発明）
第２発明の戸は、第１発明が少なくとも一対のＳ字状帯部材により一対の断面半円形の柱体を緊締しているのに対して、一対の柱体の断面がほぼ１／４円形と、前記ほぼ１／４円形に連設する対向面とが互いに対向する対向面を有する。前記断面ほぼ１／４円形を有する柱体は、少なくとも一対のＳ字状帯部材により断面ほぼ１／４円形および対向面等に沿いながら前記柱体を回動自在に接続している。
【００５３】
すなわち、第１のＳ字状帯部材は、一方の柱体における断面ほぼ１／４円形と前記対向面以外の部分に一端部が取り付けられ、一方の柱体から他方の柱体に向かって、前記断面ほぼ１／４円形の前記対向面に沿いながら他方の柱体の断面ほぼ１／４円形以外の部分に他端部が取り付けられている。また、前記第２のＳ字状帯部材は、他方の柱体における断面ほぼ１／４円形以外の部分に他端部が取り付けられ、他方から一方に向かって前記対向面と対向面等に沿いながら一方の柱体の断面ほぼ１／４円形以外の部分に一端部が取り付けられている。
【００５４】
第２発明におけるＳ字状帯部材は、それぞれの幅を広くすることにより、柱体に取り付けられる部材の重量を増加することができる。また、第２発明におけるＳ字状帯部材は、柱体に取り付けられる部材の重量が軽い場合、幅を狭くすることができる。前記Ｓ字状帯部材は、前記柱体に取り付ける重量により幅を任意にすることができるとともに、形状を単純にできる。なお、第２発明の戸は、少なくとも一組のＳ字状帯部材によって前記柱体を取り付けることができる。
【００５５】
（第３発明）
第３発明の戸は、第１のＳ字状帯部材および第２のＳ字状帯部材により、柱体を緊締している点で、第１発明および第２発明と同じである。第３発明のＳ字状帯部材は、一端部または他端部が前記柱体に成形された切欠き部によって固定されている。すなわち、第１のＳ字状帯部材は、一方の柱体に成形された前記切欠き部に一端部が取り付けられ、一方から他方に向かって前記対向面に沿いながら他方の柱体の非対向面または前記柱体に取り付けられた横框等に他端部が取り付けられている。前記Ｓ字状帯部材の取付は、柱体に成形された切欠き部で、戸に対して直角方向からネジ止めできるようにしているため、前記Ｓ字状帯部材の緊締を強くすることができるだけでなく、取り付けが容易である。
【００５６】
また、第２のＳ字状帯部材は、他方の柱体の非対向面または前記柱体に取り付けられた横框等に一端部が取り付けられ、他方から一方に向かって前記対向面に沿いながら一方の柱体の切欠き部に他端部が取り付けられている。そして、前記柱体の間には、遮蔽部材が固定されることにより、前記一対の柱体の間を遮蔽することができる。さらに、第１のＳ字状帯部材および第２のＳ字状帯部材の取り付けは、前記切欠き部において、戸の垂直方向または戸の開け閉め方向にネジ止めすることができる。前記遮蔽部材は、前記戸が雨戸や網戸の場合不要である。前記遮蔽部材は、弾性体からなるパッキング材およびモヘアのような繊維状の部材も含む。
【００５７】
（第４発明）
第４発明のＳ字状帯部材は、第１発明から第３発明が二つの帯状部材を互いに反対方向のＳ字状になるように、柱体の対向面に沿いながら１８０度回動できるように取り付けられるのに対して、一対のＳ字状帯部材により前記断面ほぼ半円形柱体を互いに連結するとともに、前記断面ほぼ半円形の対向面に接しながら３６０度回動させることができる。すなわち、第４発明における断面ほぼ半円形の凸部からなる対向面には、前記柱体の長さ方向に溝が設けられ、前記溝内に遮蔽部材が嵌合されている。
【００５８】
前記遮蔽部材は、弾性があるため、前記一対のＳ字状帯部材の緊締により、前記柱体間の隙間を無くすことができる。前記一対のＳ字状帯部材は、前記断面ほぼ半円形の柱体の断面ほぼ半円形部分以外、または前記柱体に取り付けられた横框等に取り付けることができる。前記遮蔽部材の前記溝から突出する厚さは、前記Ｓ字状帯部材の厚さより僅かに大きくすることにより、戸を締めた際の隙間を無くすことができる。なお、第１発明から第４発明における半円または１／４円形は、多少長円（縦長または横長）、あるいは楕円に近いものも含む。
【００５９】
（第５発明）
第５発明の戸は、両方向、たとえば、１８０度から３６０度に回動させることができるヒンジにより連結されている。第５発明の戸は、一対の柱体が、一方から他方に向かって前記対向面に沿いながら他方の柱体の非対向面または前記柱体に取り付けられた横框等に他端部が取り付けられた第１のＳ字状帯部材と、他方の柱体の非対向面または前記柱体に取り付けられた横框等に一端部が取り付けられ、他方から一方に向かって前記対向面に沿いながら一方の柱体の非対向面または前記柱体に取り付けた横框等に他端部が取り付けられた第２のＳ字状帯部材と、によって連結されている点で、第１発明から第４発明と同じである。
【００６０】
第１発明から第４発明と異なるのは、第５発明における一対の柱体が横框を取り付ける部分において、取付コーナーブロックとなっている点である。前記一対の取付コーナーブロックは、たとえば、横断面ほぼ半円形で、互いに対向する対向面を有し、一方および／または他方の中心軸を中心にして、前記対向面に対向しながら回動するとともに、柱体取付部および横框取付部が成形されている。
【００６１】
また、前記取付コーナーブロックは、前記柱体取付部および横框取付部を介して、一対の柱体および横框と取り付けられる。前記連結部材は、前記取付コーナーブロックの上部および下部において、二つの中心軸部材が回動自在で、かつ、前記一対の取付コーナーブロックを連結している。また、前記連結部材は、必要に応じて、吊り車まはたガイドを一体に設けることができる。さらに、前記吊り車またはガイドは、前記連結部材の中心軸部のそれぞれまたは一方に、あるいは中間に設けられる。前記連結部材は、金物、硬質合成樹脂等からなり、板状、または吊り車およびガイド等が一体または別体に設けられている。また、前記取付コーナーブロックは、取付フィンを設けたり、あるいは無垢にすることも可能である。さらに、前記取付コーナーブロックは、ダイキャストにより作製することができる。また、前記取付コーナーブロックは、無垢材で構成することも可能である。
【００６２】
（第６発明）
第６発明の戸は、第１発明から第５発明におけるＳ字状帯部材が鉄、銅、アルミニウム合金、鉄合金、銅合金、あるいは合成樹脂部材の一つからなる薄板である。また、柱体は、前記Ｓ字状帯部材と同じまたは異なる素材により作製される。前記異なる素材、あるいは異なる表面仕上げにした場合、前記Ｓ字状帯部材は、金属素材または合成樹脂素材による色が浮き彫りとなり、デザイン上優れた効果を発揮することができる。
【００６３】
（第７発明）
第７発明の戸は、第１発明から第６発明におけるＳ字状帯部材が弾性を有するバネ部材から構成されており、前記一対の柱体を緊締するのに都合がよい。前記Ｓ字状帯部材は、ステンレスバネ、りん青銅のようなものであり、薄く成形できるため、色とともにデザイン的にも優れている。
【００６４】
（第８発明）
第８発明の戸は、第１発明から第７発明における柱体に取り付けられる部材が扉、戸（網戸、折戸、雨戸を含む）、窓、建具、間仕切り、インテリア、家具、エクステリア等に使用されるものである。前記戸は、材質がアルミニウム合金等からなる場合、ホテル、レストラン、ショールーム、ブティック等のさまざまな施設に使用することで、見栄えのよい構造物となる。
【００６５】
（第９発明）
第９発明の戸は、第１発明から第８発明における第１のＳ字状帯部材および第２のＳ字状帯部材が一対の柱体における横框等を取り付ける側に一体的に設けられたフィン取付部に取り付けられる。前記フィン取付部は、長さ方向に突出するように設けられているため、柱体を加工する際に同時に成形でき、安価なものを作製することができる。
【００６６】
（第１０発明）
第１０発明の戸は、第１発明から第９発明における第１のＳ字状帯部材および第２のＳ字状帯部材の一端部および他端部が、一対の柱体における側部で、かつ、回転する際に対向しない部分、または横框等に設けられた凹部に取り付けられる。前記Ｓ字状帯部材は、前記凹部に取り付けることにより、弛みなく緊締することが容易である。
【００６７】
（第１１発明）
第１１発明の戸は、第１発明から第１０発明における一対の柱体の上部および下部において取り付けられている中心軸部材が回動可能な連結部材によって連結されている。前記連結部材は、前記柱体の回転中心で回転できるようになっているとともに、二つの戸が離れないように連結する強度を増加させている。
【００６８】
（第１２発明）
第１２発明の戸は、第１発明から第１１発明における二つの柱体および取付コーナーブロックにおける一方または両方の上部に上吊り戸車および／またはガイドが取り付けられている。前記上吊り戸車および／またはガイドは、一組置きに設けられているため、戸を多数連結した場合であっても、戸車やガイドによって動きを容易にしている。
【００６９】
（第１３発明）
第１３発明の戸は、第１発明から第１２発明における二つの柱体および取付コーナーブロックにおける一方または両方の下部にレール上を移動する戸車および／またはガイドが取り付けられている。前記戸車および／またはガイドは、一組置きに設けられているため、戸を多数連結した場合であっても、戸車やガイドによって動きを容易にしている。前記戸は、前記上吊り戸車および下部に取り付ける戸車の両方を取り付けることもできる。
【００７０】
（第１４発明）
第１４発明の戸は、第１発明から第１３発明における柱体および／または横框等に網、ガラス、板等を取り付ける取り付け部が設けられている。また、前記網、ガラス、板は、前記柱体および／または横框に取り付けられた後、パテあるいは遮蔽部材等によって固定される。
【００７１】
（第１５発明）
第１５発明の戸は、第１発明から第１４発明における一対の柱体が断面がほぼ１／４円形の回動を行なうための対向面と、前記対向面に連なる断面直角部を備えており、前記対向面で１８０度の回転を行ない、断面直角部の前記対向面と反対側を水平面とすることで、見た目を良くすることができる。また、前記水平面には、必要に応じて、遮蔽アダプターを一体または別体として取り付けることができる。前記遮蔽アダプターの取り付けは、柱体が水平面であるため取り付け易い。
【００７２】
（第１６発明）
第１６発明の戸は、第１発明から第１５発明における一対の柱体の上部および下部において、横框を取り付けるためのＬ字状切欠き部と、前記Ｌ字状切欠き部を覆うカバーを有する。前記Ｌ字状切欠き部は、前記横框を前記柱体に取り付ける際にドライバー等が入り易くするためのものである。また、前記Ｌ字状切欠き部は、前記横框を取り付けた後、前記カバーにより覆うことにより、外部から見た目を良くしている。
【００７３】
（第１７発明）
第１７発明の戸は、第１発明から第１６発明における一対の柱体における対向面と反対側の内部に横框および／または連結部材を取り付けるためのＬ字状金具が取り付けられている。すなわち、連結部材および／または上横框は、柱体に取り付けられた逆Ｌ字状金具上に取り付けられ、連結部材および／または下横框は、柱体に取り付けられたＬ字状金具の下に取り付けられる。前記Ｌ字状金具は、断面Ｌ字型部材の板材を折り曲げて安価に作製することができる。また、前記Ｌ字状金具は、ダイキャスト製または硬質樹脂とすることもできる。
【００７４】
（第１８発明）
第１８発明の戸は、第１発明から第１７発明における一対の柱体の内部には、前記連結部材に回動自在に設けられた中心軸部材を取り付けるための取付孔が成形されている。連結部材は、Ｓ字状帯部材の強度を補うものであり、柱体の上部と下部に前記中心軸部材を取付孔に螺合することにより取り付けられる。本発明の戸は、必要に応じて、柱体をＳ字状帯部材、Ｓ字状帯部材と連結部材、および連結部材で結合することができる。前記連結部材は、スカートが一体になっているものも含む。また、前記連結部材の材質は、板材、鋳物材、硬質樹脂材等がある。
【００７５】
（第１９発明）
第１９発明の戸連結方法は、少なくとも二つの戸において、互いに対向する対向面を有する柱体の一方および／または他方の中心軸を中心にして、前記互いの対向面に対向しながら１８０度または３６０度回動させることができるように連結するものである。複数の戸は、工場において、連結した状態で作製された場合、現地に運搬したり、あるいは、所定箇所に取り付ける作業がその重量のために困難である。第２１発明の戸連結方法は、第１の戸に第１のＳ字状帯部材を仮付けし、第２の戸に第２のＳ字状帯部材を仮付けしておき、一人または二人で運搬が可能な状態で、現地に運ばれ、第１のＳ字状帯部材および第２のＳ字状帯部材のそれぞれの他端部を他の取り付け部に仮付けした後、両端を交互に締め付ける。
【００７６】
戸は、回転する前記対向面を有する柱体と、前記対向面の反対側に取り付けられた横框等からなる。一方の柱体または、前記柱体に取り付けられた横框等から構成された第１の戸は、少なくとも一つの第１のＳ字状帯部材の一端部が取り付けられる。また、他方の柱体または、前記柱体に取り付けられた横框等から構成された第２の戸は、少なくとも一つの第２のＳ字状帯部材の一端部が取り付けらる。戸が多数個の場合、それぞれの戸には、第１のＳ字状帯部材または第２のＳ字状帯部材がそれぞれ仮付けされる。
【００７７】
そして、前記第１の戸および第２の戸が現地に運搬された後、第１のＳ字状帯部材の他端部は、他方の柱体または前記柱体に取り付けられた横框等に取り付られる。このように、第２のＳ字状帯部材の他端部は、一方の柱体または前記柱体に取り付けられた横框等に取り付けられる。前記のような状態の戸は、少人数で運ぶとともに、施工現場において、組み立てが容易にできる。
【００７８】
第１９発明の戸連結方法は、第１の戸および第２の戸における柱体または前記柱体に取り付けられた横框等に成形された凹部に第１のＳ字状帯部材および第２のＳ字状帯部材の一端部をねじを用いて仮止めした後、現地に運搬され、前記他端部も同様に仮止めし、その上から板部材により本止めを行なう。前記板部材は、前記凹部とともに前記第１のＳ字状帯部材および第２のＳ字状帯部材を前記柱体に緊締することが容易にできる。
【００７９】
第１９発明における戸連結方法は、Ｓ字状帯部材を取り付ける板状座金のねじ孔を板の幅方向に対して、非対照に設けられている。最初の連結は、側部から近い方のねじ孔を使用し、経年変化により緩んできた場合、前記板状座金を反対にひっくり返し、側部から遠い方のねじ孔を使用することにより、前記Ｓ字状帯部材の緊締を強固にすることができる。
【実施例１】
【００８０】
図１は本発明の第１実施例で、戸を連結するための連結構造を説明するための概略図である。図１において、戸は、断面ほぼ半円形部分を有する柱体１１と、前記柱体１１に対向し、前記ほぼ半円形の突出部分において、互いに対向しながら１８０度回動する柱体１２と、前記柱体１１、１２に取り付けられた横框１６、１７等と、前記柱体１１、１２を可動的に連結するための、一方の柱体１１の非対向面または前記柱体１１に取り付けられた横框１６等に一端部が取り付けられ、一方から他方に向かって前記対向面１１１に沿いながら他方の柱体１２の非対向面または前記柱体１２に取り付けられた他方の横框１７等に他端部が取り付けられた少なくとも１組のＳ字状帯部材と、前記柱体１１、１２の隙間を遮蔽する遮蔽アダプター１３とから構成されている。
【００８１】
前記柱体１１、１２は、たとえば、アルミニウム合金等の金属からなり、押し出し加工により図１に示すような断面形状に成形される。前記柱体１１、１２は、断面ほぼ半円形の互いに対向する対向面１１１、１２１の反対側に、横框取付部１１２、１２２が一体成形されている。そして、前記横框１６、１７は、前記横框取付部１１２、１２２に取り付けられている。前記戸は、図１において、たとえば、下部横框、中框、および前記柱体１１、１２の反対側の縦框等が省略されている。前記遮蔽アダプター１３は、一方の柱体１１（１２）の側部１１４（１２４）または横框１６（１７）にネジ止めされている。
【００８２】
図１において、本実施例の折戸は、薄い金属部材からなるＳ字状帯部材１４、１４′、１５、１５′と、連結部材１８により、連結強度と円滑な回転とを増加している。本実施例における柱体１１、１２の上下部において、連結部材１８（下部の連結部材は省略する）は、回動自在な中心軸部材１８２、１８２′が柱体１１、１２の連結孔１１３、１２３に螺合されている。すなわち、前記中心軸部材１８２、１８２′は、一対の柱体１１、１２とともに、前記連結部材１８に対して回動する。また、前記連結部材１８には、前記中心軸部材１８２、１８２′と同軸に吊り車またはガイド車１４６が設けられている。
【００８３】
前記柱体１１、１２は、その断面半円形の対向面に沿って自在に回動するとともに、前記連結部材１８によって、連結強度が向上し、衝撃に強く、Ｓ字状帯部材１４、１４′、１５、１５′を痛めないので、Ｓ字状帯部材１４、１４′、１５、１５′が緩んだり、不所望な荷重に対して切断するという事故を防止することができる。前記Ｓ字状帯部材１４、１４′、１５、１５′は、戸を円滑に回転できるものであり、前記柱体の上下以外の箇所に、少なくとも一組を設けることにより、回転を容易にするとともに、強度を上げることができる。
【００８４】
なお、前記柱体１１、１２の回動は、Ｓ字状帯部材１４、１４′、１５、１５′を設けることなく、上下部に前記連結部材１８を中心軸部材１８２、１８２′のみにより設けことも可能である。なお、戸車１４６は、必要に応じて、設けることができる。たとえば、前記Ｓ字状帯部材１４、１５は、横框１６、１７にネジ１９、１９′によって取り付けられているが、柱体１１、１２の側部１１４、１２４に取り付けることも可能である。前記柱体１１、１２のＳ字状帯部材１４、１５の取付部は、厚さ分切欠きを設け、柱体１１、１２の対向面における隙間を無くすこともできる。
【００８５】
図２は本発明の各実施例に使用される柱体の連結部材であるＳ字状帯部材を説明するための概略図である。図１および図２において、Ｓ字状帯部材１４、１４′は、前記柱体１１の非対向面（側部１１４）または横框１６の側部における凹部にネジ１８によって取り付けられている。また、Ｓ字状帯部材１５、１５′は、前記柱体１２の非対向面（側部１２４）または横框１７の側部における凹部にネジ１９によって取り付けられている。前記Ｓ字状帯部材１４、１４′は、前記柱体１１の対向面１１１に沿って巻かれるとともに、他方の柱体１２の対向面１２１に沿って巻かれ、柱体１２の図１における見えない部分にネジ止めされる。
【００８６】
前記Ｓ字状帯部材１５、１５′は、同様に、柱体１２の対向面１２１に沿って巻かれた後、他方の柱体１１の対向面１１１に沿って巻かれ、柱体１１の図１における見えない部分にネジ止めされる。前記Ｓ字状帯部材１４、１４′、１５、１５′の取り付けは、前記柱体１１、１２の側部、または横框１６、１７の側部における凹部にネジで直角方向から締め付けているため、組み立てが容易であり、戸が完成後のＳ字状帯部材の修理が框付パネルに邪魔されずに都合良く行なうことができる。
【００８７】
前記Ｓ字状帯部材１４、１４′、１５、１５′は、たとえば、最初、図１における横框１６、１７の側部に図示されていない平ネジ等により、引っ張られた状態で取り付けられる。その後、前記Ｓ字状帯部材１４、１４′、１５、１５′は、図示されていない板状座金を上から抑え付けるようにして、ネジ１８、１９を用いて取り付けることにより、前記取り付け部近傍において斜めであったＳ字状帯部材１４、１５を直角にするため、さらに、引っ張られて緊締される。
【００８８】
その後、遮蔽アダプター１３は、前記柱体１１にネジ等によって取り付けられる。前記遮蔽アダプター１３は、長さ方向に沿って、遮蔽部材装着溝となる突起溝１３１が成形されている。前記突起溝１３１には、遮蔽部材１３２が嵌挿されている。前記戸は、少なくとも一組のＳ字状帯部材により連結されているため、開閉がスムーズであるだけでなく、キシミ音もしない。前記柱体１１、１２は、アルミニウム系、またはその他の金属材料であるため、前記遮蔽アダプター１３の反対側に指を挿入しても、滑るように逆方向に押し出され、指を詰めて痛めることがない。また、前記遮蔽アダプター１３は、戸の隙間から風や光が侵入することなく、見かけも豪華であるとともに戸として優れた効果を発揮する。
【実施例２】
【００８９】
図３は本発明の第２実施例で、戸を連結するための連結構造を説明するための概略図である。図３において、柱体１１は、対向面１１１と横框取付部１１２との間に取付凹部３１、３１′が成形されている。また、柱体１２は、前記柱体１１と同様に、対向面１２１と横框取付部１２２との間に取付凹部３２、３２′が成形されているとともに、前記柱体１１、１２のいずれか一方に遮蔽アダプター３３が一体成形されている。前記取付凹部３１、３１′、３２、３２′には、前記Ｓ字状帯部材１４、１５がドア面に対して垂直方向からネジ止めでき、框材やパネル材に邪魔されることなく、組立作業、修理作業、あるいは、取付作業が容易にできる。
【００９０】
前記遮蔽アダプター３３は、遮蔽部材取付用突起溝３３１が成形されており、前記遮蔽部材取付用突起溝３３１に遮蔽部材３３２が嵌挿されている。さらに、前記Ｓ字状帯部材１４、１５は、図示されていないネジによって、引っ張られた状態で取り付けられた後、板状座金３１１、３２１を介して、ネジ３１２、３２２によって、さらに、緊締された状態で取り付けられる。
【００９１】
一方のＳ字状帯部材１４は、一端を一方の取付凹部３１に図示されていない平ネジ等により取り付け、柱体１１、１２の対向面１１１に沿って一方から他方の取付凹部３２′へ、たすき掛けに巻き付け、他端が引っ張った状態で固定される。他方のＳ字状帯部材１５は、同様に、一端を他方の取付凹部３２に図示されていない平ネジ等により取り付け、対向面１２１に沿って他方から一方へ、たすき掛けに巻付け、他端が引っ張った状態で固定される。
【００９２】
その後、前記Ｓ字状帯部材１４、１５は、前記取付凹部３１、３１′、３２、３２′において、前記平ネジ等の上から、板状座金３１１、３２１を当接し、ネジ３１２、３２２により、前記Ｓ字状帯部材１４、１５の一端および／または他端が前記取付凹部３１、３１′、３２、３２′の上部から底部に向かって押し込まれることにより、さらに、強く緊締された状態で固定される。
【実施例３】
【００９３】
図４（イ）は本発明の第３実施例で、戸を連結するための連結構造を説明するための概略図で、（ロ）は（イ）のロ−ロ断面図である。図４（イ）および（ロ）において、実施例１および実施例２と異なるのは、Ｓ字状帯部材１４、１５が横框１６、１７に取り付けられている点と、柱体１１、１２にガラス４２等を挿入する凹部４１が設けられている点とにある。前記柱体１１、１２は、対向面１１１、１２１との反対面にガラスまたは戸板４２等が遮蔽部材４３を介して挿入される挿入凹部４１が成形されている。
【００９４】
また、横框１６、１７には、前記Ｓ字状帯部材１４、１５を取り付ける取付凹部４４が成形されて、実施例１および実施例２と同様に、図示されていない平ネジ、図示されているネジ４６と板状座金４５によって固定されている。また、前記柱体１１、１２および横框１６、１７は、ネジ４７、４７′およびネジ孔４８、４８′によって固定される。
【実施例４】
【００９５】
図５は本発明の第４実施例で、戸を連結するための連結構造を説明するための概略図である。図５において、柱体１１、１２は、断面ほぼ１／４円形５１、５２と、前記断面ほぼ１／４円形５１、５２部分に連設された断面ほぼ１／４切欠き部（Ｌ字状切欠き部）５３、５４と、前記断面ほぼ１／４円形５１、５２および切欠き部５３、５４の反対側に設けられている横框取付部１１２、１２２とから構成されている。
【００９６】
前記Ｓ字状帯部材１４、１５は、一端が横框の取付フィン５７、５７′に取り付けられ、他端が前記断面ほぼ１／４切欠き部（Ｌ字状切欠き部）５３、５４に前記実施例と同様に取り付けられている。前記横框に設けられた取付フィン５８、５８′には、図示されていない戸板、ガラス、または網戸等が取り付けられている。前記断面ほぼ１／４切欠き部（Ｌ字状切欠き部）５３、５４には、遮蔽部材５５、５６が嵌入される。図５に示された遮蔽部材５５、５６の例は、網戸の場合であり、遮蔽部材５５と遮蔽部材５６との間に隙間があっても差し支えない。折戸または雨戸の場合は、前記遮蔽部材５５、５６の間に隙間が出ないような形状のものを使用する。
【実施例５】
【００９７】
図６は本発明の第５実施例で、戸を連結するための連結構造を説明するための概略図である。図６において、第４実施例と異なる所は、Ｓ字状帯部材の他端部を取り付ける取付けネジ６９、６９′の方向が９０度異なっている点、および遮蔽部材６５、６５′が互いに密着して機密性を向上させている点である。図５および図６における遮蔽部材５５、５６、６５、６５′は、弾性のある部材からなるが、前記凹部を覆う形状の蓋部材に代えることができる。前記蓋部材と前記凹部とは互いに凹凸により嵌合できるようにして取り付けることができる。
【実施例６】
【００９８】
図７（イ）は本発明の第６実施例で、戸を連結するための連結構造を説明するための概略図で、（ロ）は（イ）におけるロ−ロ断面図ある。図７（イ）および（ロ）において、第４実施例および第５実施例と異なる所は、断面ほぼ１／４円形７１、７２に連設する部分が９０度の角部７３、７４を備えている点、およびＳ字状帯部材１４、１５を取り付ける横框７５、７６の中央部に取付部７７、７７′が設けられている点である。図７に示された戸は、図の下部方向にのみ開閉ができる。また、前記横框７５、７６は、戸１７４等を取り付ける取付フィン１７３が設けられている。
【実施例７】
【００９９】
図８は本発明の第７実施例で、戸を連結するための連結構造を説明するための概略図である。図８において、第１実施例から第６実施例と異なる所は、柱体１１、１２の一方または両方に遮蔽部材が嵌挿された溝が設けられている点、３６０度回転することができる点、および柱体１１側が固定されている点にある。図８に示された実施例は、遮蔽部材８２が一方に取り付けられた例である。前記柱体１１、１２の一方には、対向面１１１、１２１の中央部において長さ方向に垂直溝８１が成形されており、遮蔽部材８２が嵌挿されている。前記遮蔽部材８２は、前記垂直溝８１から僅かに突出する程度にすることで、Ｓ字状帯部材１４、１５が巻回されている部分、および巻回されていない部分における隙間を無くすことができる。
【０１００】
また、実施例７における戸は、門扉等の例である。たとえば、コンクリートからなる門柱８１１には、取付部８１２が固定されている。前記取付部８１２には、柱体１１が取り付けられている。すなわち、前記柱体１１は、門柱に固定されており、図示されていない連結部材を介して柱体１２と回動自在に取り付けられている。前記遮蔽部材８２は、ゴム材を用いるが、スリムなものが望ましい。前記柱体１１、１２を連結するＳ字状帯部材は、複数箇所に設けることで、デザインとしても優れた効果を発揮する。
【実施例８】
【０１０１】
図９（イ）および（ロ）は本発明の第８実施例で、網戸を取り付けるための連結構造を説明するための概略図である。図９（イ）および（ロ）において、柱体９１、９２は、Ｓ字状帯部材９４、９５により、他の実施例と同じように取り付けられている。前記柱体９１、９２は、横框９９とネジ９８１が取付孔９８に螺合することにより取り付けられる。前記横框９９は、網８５の端部を挿入する溝９９１が成形されており、前記溝９９１に網８５の端部と遮蔽部材９９２を挿入して網８５を横框９９に固定する。
【実施例９】
【０１０２】
図１０（イ）および（ロ）は本発明の第９実施例で、戸と戸を連結する連結金具、および前記連結金具を使用した状態を説明するための図である。図１０（イ）において、断面Ｌ字型連結部材１０１１は、開口１０１２、１０１２′が柱体１１、１２の回転中心と一致するとともに、中心軸部材１０２３によって、回動自在に取り付けられる。前記断面Ｌ字型連結部材１０１１は、柱体１１、１２を連結しているＳ字状帯部材１４、１５が切断された場合であっても、前記柱体１１、１２を分離することがなく、強固に前記両者を結合することができる。
【０１０３】
したがって、前記戸は、前記Ｓ字状帯部材１４、１５を切断しても、柱体１１、１２が分離しないので、盗難を防止することができる。前記断面Ｌ字型連結部材１０１１の立ち上がり部は、たとえば、対向部に設けられたモヘアと接することにより、気密性を保持することができる。前記気密性を保持する部材としては、ビート、中空ビートを設けておくこともできる。
【０１０４】
図１０（ロ）において、たとえば、柱体１１の上部には、逆Ｌ字状金具１０２６が固定されている。前記断面Ｌ字型連結部材１０１１は、柱体１１の上部に図示のごとく、吊り車１０２２の固定軸（中心軸部材）１０２３を介して逆Ｌ字状金具１０２６に取り付けられる。戸は、前記断面Ｌ字状金具１０１１の開口１０１２、１０１２′および固定軸１０２３を介して吊り車１０２２により、レール１０２１に可動自在に吊り下げられる。
【０１０５】
また、前記断面Ｌ字型連結部材１０１１および逆Ｌ字状金具１０２６は、側部にレール１０２１から横方向に延びる気密モヘア１０２５を押し付ける長さに設けることにより、この間の隙間を無くすことができる。また、前記断面Ｌ字型連結部材１０１１は、同様に柱体１１、１２の下部に、向きを逆にして設けられる。図１０（ロ）において、気密モヘア１０２５は、図と反対側にも設けることもできる。
【実施例１０】
【０１０６】
図１１（イ）および（ロ）は本発明の第１０実施例で、戸と戸を連結する連結金具、および前記連結金具を使用した状態を説明するための図である。図１１（イ）および（ロ）において、実施例９と異なる所は、連結部材１１１１が開口１１１３を有するとともに、モヘア１１１２が一方の面に設けられている点である。前記連結部材１１１１は、実施例９と同様に、逆Ｌ字状金具に取り付けられ、図１１（ロ）に示すように、隙間を無くすことができる。
【実施例１１】
【０１０７】
図１２（イ）から（ハ）は本発明の第１１実施例で、柱体と横框の接続状態を説明するための例である。図１２（イ）から（ハ）において、柱体１１、１２は、たとえば、４本のＳ字状帯部材１４、１４′、１５、１５′によって連結されている。前記４本のＳ字状帯部材１４、１４′、１５、１５′の一端部または他端部は、取付フィン１２１１、１２１２に他の実施例と同様な方法により緊締される。前記取付フィン１２１１、１２１２は、その両端部において、たとえば、４５度に切られている。
【０１０８】
横框１２１３、１２１４には、戸等を取り付けるための取付フィン１２１５、１２１６が成形されており、その両端部が４５度に切られている。前記柱体１１、１２と前記横框１２１３、１２１４とは、取付フィン１２１１、１２１５、１２１２、１２１６とが互いに対向した４５度の面１２１７、１２１８で対向している。前記柱体１１、１２と横框１２１３、１２１４は、図示されていないネジを取付孔１２１９に螺合することで、固定される。前記取付フィン１２１１、１２１５、１２１２、１２１６には、ガラス、板、網等が取り付けられる。
【実施例１２】
【０１０９】
図１３（イ）から（ヘ）は本発明の第１２実施例で、Ｓ字状帯部材の端部を柱体にネジ止めする状態を説明するための図である。図１３（イ）および（ロ）において、前記各実施例と異なる所は、Ｓ字状帯部材１３１２を取り付ける垂直取付部またはフィン１３１６を有するＳ字状帯部材取付金具１３１５を柱体１３１１に取り付けている点、およびＳ字状帯部材１３１２を固定する板状座金１３１７のネジ孔１３１９を偏心させている点である。前記Ｓ字状帯部材取付金具１３１５は、柱体１３１１の取付部１３１４および溝１３１４′に取り付けられる。
【０１１０】
前記Ｓ字状帯部材取付金具１３１５に垂直に取り付けられている垂直取付部１３１６には、図示されていない平ネジにより、Ｓ字状帯部材１３１２の一方の端部および他方の端部が固定される。その後、前記Ｓ字状帯部材１３１２は、さらに、板状座金１３１７のネジ孔１３１９を下に向けてネジ１３２０により垂直取付部１３１６に固定することで、より緊締することができる。
【０１１１】
図１３（ハ）および（ニ）は、板状座金１３１７の偏心したネジ孔１３１９を下（Ｓ字状帯部材取付金具１３１５側）にして垂直取付部１３１６に取り付けられた場合が示されている。また、図１３（ホ）および（ヘ）は、前記板状座金１３１７の偏心したネジ孔１３１９を上（Ｓ字状帯部材取付金具１３１５と反対側）に向けて垂直取付部１３１６に取り付けられた場合が示されている。
【０１１２】
図１３（ニ）および（ヘ）を比較すると、前記Ｓ字状帯部材１３１２は、偏心したネジ孔を上に向けて垂直取付部１３１６に取り付けられた場合の方がより引っ張られた状態に緊締されている（図１３（ヘ）参照）。本発明のＳ字状帯部材１３１２は、経年変化により、僅かであるが延びるため、前記板状座金１３１７の向きを変えるといった簡単な工事により、柱体１３１１間の緩みを防止することができる。
【実施例１３】
【０１１３】
図１４は本発明の第１３実施例で、折戸を吊るす場合を説明するための概略図である。図１４において、柱体１４１１と柱体１４１２は、少なくとも一対のＳ字状帯部材１４２１、１４２２によって緊締され、それぞれの対向面に沿って互いに回動自在に構成されている。また、柱体１４１３と柱体１４１４は、同様に、少なくとも一対のＳ字状帯部材１４２３、１４２４によって緊締され、互いに回動自在に構成されている。さらに、柱体１４１２および柱体１４１３は、横框１４３２等により一枚の戸または網戸、雨戸等が構成されている。他の柱体も同様に二つの柱体によって戸等が構成されている。
【０１１４】
戸と戸とは、互いの柱体１４１１、１４１２、または、柱体１４１３、１４１４が連結部材１４４１、１４４２によって回動自在に連結されている。前記連結部材１４４１、１４４２は、前記Ｓ字状帯部材１４２１、１４２２、１４２３、１４２４が切断されたとしても、前記各柱体１４１１、１４１２、１４１３、１４１４の上下に設けられた前記連結部材１４４１、１４４２によって分離されることがない。
【０１１５】
また、前記連結部材１４４１には、一つまたは二つの吊りローラ１４５１が柱体１４１１、１４１２、１４１３、１４１４の上に取り付けられる。前記吊りローラ１４５１は、図示されていない上側または下側溝に嵌め込まれ、溝の方向に移動する。前記吊りローラ１４５１によって戸を吊る箇所は、折戸の場合、たとえば、連結部材の一つ置きに設けられる。吊りローラ１４５で吊っている場合、下部は、ガイドローラとなる。
【０１１６】
前記折戸は、閉めて平らにした場合、吊りローラがない箇所がぐらつき、風等により開く恐れがある。このような場合、たとえば、柱体には、棒状部材のロック機構を埋め込み、前記棒状部材を前記連結部材の一部に係合できるようにして、前記連結部材の回動を固定する。すなわち、前記ロック機構は、公知のものであり、柱体内の棒を上方および下方に移動させる方法、あるいは他の方法により、折戸の不所望な開閉を不可能にする。
【実施例１４】
【０１１７】
図１５は本発明の第１４実施例で、柱体と横框等の取り付けを説明するための概略斜視図である。図１５において、各実施例と異なる所は、柱体に切欠き部と、前記切欠き部を覆うカバーと、Ｓ字状帯部材が前記カバーの上から緊締される点で異なっている。柱体１５１１、１５１２は、上下部にＬ字状切欠き部１５３１、１５３２が設けられている。前記Ｌ字状切欠き部１５３１、１５３２は、カバー１５４１、１５４２により覆うことができ、見栄えを良くしている。前記Ｌ字状切欠き部１５３１、１５３２は、横框１５８１、１５８２を取り付ける際のネジ止め作業が容易にできる。
【０１１８】
さらに、前記Ｌ字状切欠き部１５３１、１５３２には、Ｌ字状金具１５５１、１５５２がネジ１５５９により取り付けられる。また、前記Ｌ字状金具１５５１、１５５２は、連結部材１５６１が取り付けられている。前記連結部材１５６１には、軸を介して吊りローラ１５７１、１５７２が固定されている。前記吊りローラ１５７１、１５７２は、一つであっても良い。
【０１１９】
前記柱体１５１１、１５１２は、前記横框１５８１、１５８２、連結部材１５６１等を取り付けた後、カバー１５４１、１５４２によって覆われる。その後、Ｓ字状帯部材１５２１は、前記カバー１５４１、１５４２の上部において、前記各実施例のようにして取り付けられる。
【実施例１５】
【０１２０】
図１６は本発明の第１５実施例で、折戸を工場等で組み立てる方法をおよび施工現場で施工する方法を説明するための図である。図１６において、柱体１６１１、１６１２および柱体１６１３、１６１４は、横框１６２１、１６２２等をＬ字状切欠き部１６３１、１６３２からネジ止めした後、カバー１６４１、１６４２によって前記Ｌ字状切欠き部１６３１、１６３２を覆うことで枠が作製される。前記枠には、必要に応じて、ガラス、板、網等を取り付ける。
【０１２１】
前記二つの戸は、Ｓ字状帯部材１６５２、１６５３によって、各実施例と同様に回動自在に固定される。Ｓ字状帯部材１６５１、１６５４は、柱体１６１１、１６１４に、一端部を仮取り付けした後、他端部をたとえば、運送中に邪魔にならないように、ガムテープ等により仮止めされ、施工場所で仮止めを外し、組み立てられる。
【０１２２】
図１７は本発明の第１５実施例で、折戸を組み立てるために運搬する状態を説明するための図である。図１７において、工場で組み立てられた図１６で示す二つの戸１７１１は、ペアになって折り畳まれて、工場から運搬される。前記二つの戸１７１１は、施工現場に持ち込む際に、人手によっても運べる重量である。すなわち、施工現場において、作業は、１回の連結作業で、４枚の戸が施工されることになる。
【０１２３】
図１８は本発明の第１５実施例で、一組に連結された折戸の現地で組み立てる際の状態を説明するための図で、下から上を見た図である。図１８において、天井１８１１には、上レール１８１２が取り付けられている。また、床１８１３には、下レール１８１４が取り付けられている。工場において、組み立てられた図１６および図１７のペア戸１８１５は、前記上下レール１８１２、１８１４に取り付けられる。その後、他のペア戸１８１６は、同様にして順次取り付けられる。そして、ペア戸１８１５およびペア戸１８１６は、Ｓ字状帯部材の端部がガムテープ等により仮止めされていたものを剥がし、互いに他方の柱体に巻回し緊締して連続した折戸が完成する。
【０１２４】
前記現場における組み立ては、天井方向にスペースが無い場合であっても、戸の上方からネジ等を押し込む作業がないため、単にＳ字状帯部材の端部を前記戸の直角方向からドライバー等によりネジで止める作業のみであるため、天井いっぱいの高さの戸であっても、簡単に取り付けることが可能になった。同様に、床の下方より上に向かっての作業がないため、本発明の組立方法は、工事を容易にする。
【０１２５】
図１９は本発明の第１５実施例で、折戸を開く状態を説明するためのもので、上吊り車および下車を省略した図である。図１９に示されたガラス入り折戸１９１１は、前記方法によって取り付けられ、半開き状態が描かれている。前記ガラス入り折戸１９１１は、ガラスを一枚にして中框をなくしたものが示されており、本発明の構成により、開閉がスムーズであるだけでなく、運搬および現地における組み立てが容易である。前記折戸は、レールに沿ってスラドし、収納する際にのみ折り畳むようにすることができる。前記スライド式の折戸は、閉められている状態で、レールから外れないため、防犯上好都合である。
【実施例１６】
【０１２６】
図２０は本発明の第１６実施例で、折戸の一部断面形状を説明するための図である。図２０において、柱体２０１１は、上部に上框２０１２と、下部に下框２０１３とが取り付けられている。前記柱体２０１１は、上側連結部材２０１５、上側中心軸部材２０１７を介して上側ガイドローラ２０１９に、また、下側連結部材２０１６、下側中心軸部材２０１８を介して下側ガイドローラ２０２０にそれぞれ取り付けられている。上部レール２０２１および下部ガイド２０２２には、レール２０３２、ガイド溝２０３１があり、前記上側ガイドローラ２０１９および下側ガイドローラ２０２０を案内する。前記柱体２０１１と、上部レール２０２１および下部ガイド２０２２の間には、隙間を無くすためのモヘア２０３３、２０３４が設けられている。
【実施例１７】
【０１２７】
図２１は本発明の第１７実施例で、折戸の柱体と横框を取り付ける取付コーナーブロックを説明するためのもので、下から見た図である。図２１において、柱体２１１１の下部には、柱体２１１１と下框（横）２１１２を取り付けるための取付コーナーブロック２１１４が設けられている。柱体２１１１は、ネジ２１１９を取付コーナーブロック２１１４の孔２１２０に挿入し、ネジ孔２１２１により固定する。同様に、図示されていない、もう一つの柱体と取付コーナーブロック２１１５は、図示されていない、ネジにより取り付けられる。
【０１２８】
下框（横）２１１２は、ネジ２１１６を孔２１１７に挿入することによりネジ孔２１１８により固定する。同様に、下框（横）２１１３は、取付コーナーブロック２１１５に取り付けられる。前記取付コーナーブロック２１１４および取付コーナーブロック２１１５は、連結部材２１２２と二つの中心軸部材２１３１、２１３２により回動自在に連結される。
【０１２９】
図２１に示す例は、下側ガイド２１２３が一つの場合である。前記下框（横）２１１２、２１１３、取付コーナーブロック２１１４、２１１５、連結部材２１２２の下部には、モヘア２１２４、２１２５、２１２６、２１２７が設けられ、隙間を遮蔽するようになっている。
【０１３０】
図２２は第１７実施例で取付コーナーブロックおよび連結部材を使用して組み立てた折戸を下から見た図である。図２２において、図２１で説明した折戸は、組み立てられ、一組毎に下側ガイド２２２３が設けられている。
【実施例１８】
【０１３１】
図２３（イ）は本発明の第１８実施例において、折戸の上部および下部に設けた三角形の隙間を無くす角部材と折戸の閉じた状態を説明する概念図で、（ロ）は三角形の隙間を無くす角部材と折戸の開いた状態を説明する概念図である。図２３（イ）および（ロ）において、カバー部材２３１１、２３２１には、開口部２３１５、２３２５が設けられている。
【０１３２】
折戸が閉じられている場合（障子が全て垂直面になっている状態）、前記開口部２３１５、２３２５には、角部材２３１４、２３２４が一方の面を互いに接触させ、他方の面が前記カバー部材２３１１、２３２１の表面とほぼ同一面となるように柱体１１、１２に取り付けられている。しかし、第１８実施例は、取付コーナーブロックあるいは柱体にも同様な角部材２３１４、２３２４を設けることができる。前記折戸が開く方向に移動した場合（折戸が折り畳まれた状態）、前記角部材２３１４、２３２４は、互いに接触していた一方の面が離れ、前記カバー部材２３１１、２３２１の表面と同一面となっていた他方の面が互いに接近する方向に移動する。
【０１３３】
図２４（イ）は本発明の第１８実施例において、折戸の上部および下部に設けた三角形の隙間を無くす角部材の取り付け状態を説明する概念図で、（ロ）は三角形の隙間を無くす角部材が内部に押し込められた状態を説明する概念図である。角部材２３１４、２３２４は、一方に直角三角形、他方に凹部２３１９、２３２９が成形されており、前記凹部２３１９、２３２９の内部側に角部材回動軸２３１６、２３２６、外側に係合突起２３４１、２３５１が成形されている。
【０１３４】
また、前記角部材回動軸２３１６、２３２６は、バネ２３１７、２３２７の中央部が掛けられている。前記バネ２３１７、２３２７は、一端がバネ押え２３１８、２３２８に係合され、他端が角部材２３１４、２３２４の凹部２３１９、２３２９に係合されている。前記角部材２３１４、２３２４は、バネ２３１７、２３２７の付勢力により、前記直角三角形が互いに接触し、係合突起２３４１、２３５１が前記開口部２３１５、２３２５に係合して、図２３（イ）および図２４（イ）のような状態になっている。
【０１３５】
折戸を畳む方向に移動させると、前記係合突起２３４１、２３５１は、バネ２３１７、２３２７の付勢力に抗して、カバー部材２３１１、２３２１の内部方向に移動し、前記角部材２３１４、２３２４の接触面が離れる方向に移動することで、前記角部材２３１４、２３２４がカバー部材２３１１、２３２１の内部に入る。前記角部材２３１４、２３２４は、柱体１１、１２の上部および下部にできる三角形の隙間を完全に塞ぐことができる。また、前記角部材２３１４、２３２４は、前記柱体１１、１２の上部および下部にできる三角形の隙間を防ぐものであれば、形状およびバネ等に限定されない。
【実施例１９】
【０１３６】
図２５は本発明の第１９実施例であり、戸の吊り車およびガイド車を説明するための斜視図である。図２５において、横框１６が取り付けられている柱体１１と、横框１７を取り付けている柱体１２とは、図示されていない中心軸部材が連結部材１８に設けられた孔１８１、１８１′から回動自在にそれぞれの中心に取り付けられている。前記連結部材１８は、その中央部に、吊り軸２５１１が一体または別体として取り付けられている。また、前記吊り軸２５１１には、ガイド車２５１２および吊り車２５１３が設けられている。
【実施例２０】
【０１３７】
図２６は本発明の第２０実施例であり、戸の吊り車およびガイド車を説明するための斜視図である。図２６において、第２０実施例は、ガイド車２６１１、２６１２、および吊り車２６１３の形状が第１９実施例と異なっている。前記ガイド車２６１１、２６１２は、中心軸部材の頭部が案内部となっている。また、前記吊り車２６１３は、車が一つである点と、向きが９０度異なっている点で、第１９実施例と異なっている。さらに、実施例１９および実施例２０に示されている吊り車およびガイド車の数や形状は、公知のものを任意に選択することができる。
【０１３８】
以上、本発明の実施例を詳述したが、本発明は、前記実施例に限定されるものではなく、特許請求の範囲に記載された事項を逸脱することがなければ、種々の設計変更を行うことが可能である。本実施例に記載されている戸は、ガラス戸、板戸、雨戸、網戸等を折り畳めるようにしたものであり、大きさ、取り付ける場所等によって形状を任意に変更することができる。また、前記戸は、アルミニウム合金、その他の金属、金属合金、合成樹脂等からなり、公知または周知の押し出し加工によって任意の形状に成形することができる。さらに、前記戸は、障子として、ガラス、板、網等公知または周知のものを取り付けることができる。なお、網戸や雨戸は、遮蔽部材が不要である。
【０１３９】
Ｓ字状帯部材は、多少の弾性、薄く加工のできる部材、適度の強度を有するものであれば、金属、合金、または合成樹脂等を採用することができる。また、前記戸のロック機構は、明細書に記載されていないが、公知または周知の機構を採用することができる。また、本発明の戸は、必要に応じて、Ｓ字状帯部材のみによる柱体の結合、前記Ｓ字状帯部材および連結部材による柱体の結合、および連結部材のみによる柱体の結合のいずれを採用することもできる。さらに、本実施例を任意に組み合わせて使用することができる。さらに、本発明の折戸は、ビル等の回転扉に応用する場合、入口に人が挟まれると、戸が折り曲がり、折り曲がった部分に指等が挟まれない構造とすることができる。本発明の実施例は、アルミニウム形材（非断熱）で記載されているが、断熱樹脂部材を使用して、前記アルミニウム形材の外側と内側との断熱を図るようにすることができる。
【図面の簡単な説明】
【０１４０】
【図１】本発明の第１実施例で、戸を連結するための連結構造を説明するための概略図である。（実施例１）
【図２】本発明の各実施例に使用される柱体の連結部材であるＳ字状帯部材を説明するための概略図である。
【図３】本発明の第２実施例で、戸を連結するための連結構造を説明するための概略図である。（実施例２）
【図４】（イ）は本発明の第３実施例で、戸を連結するための連結構造を説明するための概略図で、（ロ）は（イ）のロ−ロ断面図である。（実施例３）
【図５】本発明の第４実施例で、戸を連結するための連結構造を説明するための概略図である。（実施例４）
【図６】本発明の第５実施例で、戸を連結するための連結構造を説明するための概略図である。（実施例５）
【図７】（イ）は本発明の第６実施例で、戸を連結するための連結構造を説明するための概略図で、（ロ）は（イ）におけるロ−ロ断面図ある。（実施例６）
【図８】本発明の第７実施例で、戸を連結するための連結構造を説明するための概略図である。（実施例７）
【図９】（イ）および（ロ）は本発明の第８実施例で、網戸を取り付けるための連結構造を説明するための概略図である。（実施例８）
【図１０】（イ）および（ロ）は本発明の第９実施例で、戸と戸を連結する連結金具、および前記連結金具を使用した状態を説明するための図である。（実施例９）
【図１１】（イ）および（ロ）は本発明の第１０実施例で、戸と戸を連結する連結金具、および前記連結金具を使用した状態を説明するための図である。（実施例１０）
【図１２】（イ）から（ハ）は本発明の第１１実施例で、柱体と横框の接続状態を説明するための例である。（実施例１１）
【図１３】（イ）から（ヘ）は本発明の第１２実施例で、Ｓ字状帯部材の端部を柱体にネジ止めする状態を説明するための図である。（実施例１２）
【図１４】本発明の第１３実施例で、折戸を吊るす場合を説明するための概略図である。（実施例１３）
【図１５】本発明の第１４実施例で、柱体と横框等の取り付けを説明するための概略斜視図である。（実施例１４）
【図１６】本発明の第１５実施例で、折戸を工場等で組み立てる方法をおよび施工現場で施工する方法を説明するための図である。（実施例１５）
【図１７】本発明の第１５実施例で、折戸を組み立てるために運搬する状態を説明するための図である。
【図１８】本発明の第１５実施例で、一組に連結された折戸の現地で組み立てる際の状態を説明するための図で、下から上を見た図である。
【図１９】本発明の第１５実施例で、折戸を開く状態を説明するためのもので、上吊り車および下車を省略した図である。
【図２０】本発明の第１６実施例で、折戸の一部断面形状を説明するための図である。（実施例１６）
【図２１】本発明の第１７実施例で、折戸の柱体と横框を取り付ける取付コーナーブロックを説明するためのもので、下から見た図である。（実施例１７）
【図２２】第１７実施例で取付コーナーブロックおよび連結部材を使用して組み立てた折戸を下から見た図である。
【図２３】（イ）は本発明の第１８実施例において、折戸の上部および下部に設けた三角形の隙間を無くす角部材と折戸の閉じた状態を説明する概念図で、（ロ）は三角形の隙間を無くす角部材と折戸の開いた状態を説明する概念図である。（実施例１８）
【図２４】（イ）は本発明の第１８実施例において、折戸の上部および下部に設けた三角形の隙間を無くす角部材の取り付け状態を説明する概念図で、（ロ）は三角形の隙間を無くす角部材が内部に押し込められた状態を説明する概念図である。
【図２５】本発明の第１９実施例であり、戸の吊り車およびガイド車を説明するための斜視図である。（実施例１９）
【図２６】本発明の第２０実施例であり、戸の吊り車およびガイド車を説明するための斜視図である。（実施例２０）
【図２７】従来のヒンジ金具を説明するための図である。
【符号の説明】
【０１４１】
１１、１２・・・柱体
１１１、１２１・・・対向面
１１２、１２２・・・横框取付部
１１３、１２３・・・側部
１３・・・遮蔽アダプター
１３１・・・突起溝
１３２・・・遮蔽部材
１４、１４′、１５、１５′・・・Ｓ字状帯部材
１４１、１４１′、１４２、１４２′、１５１、１５１′、１５２、１５２′・・・ネジ孔
１６、１７・・・横框
１８、１９・・・ネジ
３１、３１′、３２、３２′・・・取付凹部（断面コ字型取付凹部）
３１１、３２１・・・板状座金
３３・・・遮蔽アダプター
３３１・・・溝（遮蔽部材取付用突起溝）
３３２・・・遮蔽部材
３１２、３２２・・・ネジ
４１・・・挿入凹部
４２・・・ガラス（戸板）
４３・・・遮蔽部材
４４・・・取付凹部
４５・・・板状座金
４６、４７、４７′・・・ネジ
４８、４８′・・・ネジ孔
５１、５２、７１、７２・・・断面ほぼ１／４円形
５３、５４・・・断面ほぼ１／４切欠き部（Ｌ字状切欠き部）
５５、５６、６５、６５′・・・遮蔽部材
５７、５７′、５８、５８′、６７、６７′、６８、６８′・・・取付フィン  ５９、５９′、６９、６９′・・・ネジ
７３、７４・・・９０度の角部
７５、７６・・・横框
７７、７７′・・・取付部
１７３・・・取付フィン
１７４・・・戸
７８、７８′、９７、９７′・・・板状座金
８１・・・垂直溝
８２、８４・・・遮蔽部材
８３・・・網戸取付溝
８５・・・網
９１、９２・・・柱体
９１１、９２１・・・対向面
９４、９５・・・Ｓ字状帯部材
９６・・・取付凹部
９８・・・取付孔
９８１・・・ネジ
９９・・・横框
９９１・・・溝  
９９２・・・遮蔽部材
１０１１・・・断面Ｌ字型連結部材
１０１２、１０１２′、１１１３、１１１３′・・・開口
１０２１・・・レール
１０２２・・・吊り車
１０２３・・・固定軸
１０２５、１１１２・・・モヘア
１０２６、１１１４・・・Ｌ字状金具
１１１１・・・連結部材
１１２１・・・レール
１１２２・・・吊りローラ
【図１】
2006328750.tif 000003
【図２】
2006328750.tif 000004
【図３】
2006328750.tif 000005
【図４】
2006328750.tif 000006
【図５】
2006328750.tif 000007
【図６】
2006328750.tif 000008
【図７】
2006328750.tif 000009
【図８】
2006328750.tif 000010
【図９】
2006328750.tif 000011
【図１０】
2006328750.tif 000012
【図１１】
2006328750.tif 000013
【図１２】
2006328750.tif 000014
【図１３】
2006328750.tif 000015
【図１４】
2006328750.tif 000016
【図１５】
2006328750.tif 000017
【図１６】
2006328750.tif 000018
【図１７】
2006328750.tif 000019
【図１８】
2006328750.tif 000020
【図１９】
2006328750.tif 000021
【図２０】
2006328750.tif 000022
【図２１】
2006328750.tif 000023
【図２２】
2006328750.tif 000024
【図２３】
2006328750.tif 000025
【図２４】
2006328750.tif 000026
【図２５】
2006328750.tif 000027
【図２６】
2006328750.tif 000028
【図２７】
2006328750.tif 000029